(57)【要約】【課題】吸込風量の偏流の影響を受けることなく高い熱交換効率を達成するとともに、コンパクト化の要請にも応え得る熱源ユニットを提供する。【解決手段】ケーシング１０内に熱交換ユニットＸとファン３を配置して構成される熱源ユニットにおいて、熱交換ユニットＸを、複数の熱交換器１、２を全体として平面視略Ｕ字形を呈するように配置して構成するとともに、該熱交換ユニットＸの内側に上記ファン３を配置する。係る構成によれば、複数の熱交換器１，２の熱交換能力をそれぞれ個別に設定でき、またこれら複数の熱交換器１，２の組合せ方を適宜設定することで、熱交換ユニットＸの熱交換能力を、該熱交換ユニットＸの各部間における風量分布に対応させることが容易であり、熱交換ユニットＸが吸込空気の偏流が生じる構成であっても、係る偏流に影響されることなく、熱交換ユニットＸ全体として高い熱交換効率を達成でき、延いては高能率の熱源ユニットを提供できる。【選択図】図１
2008261552.tif 000002
【特許請求の範囲】
【請求項１】
ケーシング（１０）内に熱交換ユニット（Ｘ）とファン（３）を配置して構成される熱源ユニットであって、
上記熱交換ユニット（Ｘ）が、複数の熱交換器（１）、（２）を全体として平面視略Ｕ字形を呈するように配置して構成されるとともに、該熱交換ユニット（Ｘ）の内側に上記ファン（３）が配置されていることを特徴とする熱源ユニット。
【請求項２】
請求項１において、
上記熱交換器ユニット（Ｘ）は、その幅方向各部の熱交換能力が上記熱交換ユニット（Ｘ）における風量分布に対応するように設定されていることを特徴とする熱源ユニット。
【請求項３】
請求項１において、
上記熱交換器ユニット（Ｘ）が、伝熱管を通風方向に前後して１列又は２列に配置した平面視略鉤形の第１熱交換器（１）と伝熱管を１列又は２列に配置した平面視略鉤形の第２熱交換器（２）を、該第１熱交換器（１）の一方の直部（１ａ）と第２熱交換器（２）の一方の直部（２ａ）を通風方向に前後させるとともに、上記第１熱交換器（１）の他方の直部（１ｂ）と上記第２熱交換器（２）の他方の直部（２ｂ）を熱交換器ユニット幅方向に対向するように配置して構成されていることを特徴とする熱源ユニット。
【請求項４】
請求項１において、
上記熱交換器ユニット（Ｘ）が、伝熱管を通風方向に前後して１列又は２列に配置した平面視略鉤形の第１熱交換器（１）と伝熱管を１列又は２列に配置した平面視略Ｕ字形の第２熱交換器（２）を、上記第１熱交換器（１）の一方の直部（１ａ）と他方の直部（１ｂ）が、上記第２熱交換器（２）の中央部（２ａ）と一方の側部（２ｂ）に対して通風方向において前後するように配置して構成されていることを特徴とする熱源ユニット。
【請求項５】
請求項１において、
上記熱交換器ユニット（Ｘ）が、伝熱管を通風方向に前後して１列又は２列に配置した平面視略Ｕ字形の第１熱交換器（１）と伝熱管を１列又は２列に配置した平面視略直状の第２熱交換器（２）を、上記第１熱交換器（１）の中央部（１ａ）に上記第２熱交換器（２）が対向するように配置して構成されていることを特徴とする熱源ユニット。
【請求項６】
請求項１において、
上記熱交換器ユニット（Ｘ）が、伝熱管を通風方向に前後して２列に配置した平面視略鉤形の第１熱交換器（１）と伝熱管を１列に配置した平面視直状の第２熱交換器（２）を、該第１熱交換器（１）の一端（１ｃ）側に上記第２熱交換器（２）を略直交状態に配置して構成されていることを特徴とする熱源ユニット。
【請求項７】
請求項３、４、５又は６において、
上記熱交換器ユニット（Ｘ）の熱交換能力が低い側の端部寄りに圧縮機（６）が配置されていることを特徴とする熱源ユニット。
【請求項８】
請求項３、４、５又は６において、
上記ファン（３）が、上記熱交換器ユニット（Ｘ）の幅方向中央よりも熱交換能力が高い側に偏位して配置されていることを特徴とする熱源ユニット。
【請求項９】
請求項１、２、３、４、５、６、７又は８において、
上記熱交換器ユニット（Ｘ）の上記第１熱交換器（１）と第２熱交換器（２）を、該各熱交換器（１）、（２）が凝縮作用を為す場合において該各熱交換器（１）、（２）のうち、熱交換能力の高い熱交換器（１又は２）が冷媒上流側に、熱交換能力の低い熱交換器（２又は１）が冷媒下流側にそれぞれ位置するとともに、熱交換能力の高い熱交換器（１又は２）内の冷媒の流れ方向と熱交換能力の低い熱交換器（２又は１）内の冷媒の流れ方向が対向するように配管接続したことを特徴とする熱源ユニット。
【請求項１０】
請求項９において、
熱交換能力の低い熱交換器（２又は１）のパス数を熱交換能力の高い熱交換器（１又は２）のパス数よりも少なくしたことを特徴とする熱源ユニット。
【請求項１１】
請求項１、２、３、４、５、６、７、８又は９において、
上記第１熱交換器（１）と第２熱交換器（２）のうち、
吸込風量の多い熱交換器（１又は２）の段ピッチ又はフィンピッチを、吸込風量の少ない熱交換器（２又は１）の段ピッチ又はフィンピッチよりも小さく設定したことを特徴とする熱源ユニット。
【請求項１２】
請求項３、４又は５において、
上記第１熱交換器（１）と第２熱交換器（２）のうち、通風方向上流側に位置する熱交換器（１又は２）の高さ寸法を通風方向下流側に位置する熱交換器（２又は１）の高さ寸法より小さく設定し、
通風方向上流側に位置する熱交換器（１又は２）の下端と通風方向下流側に位置する熱交換器（２又は１）の下端の間に配管用空間（２０）を設けたことを特徴とする熱源ユニット。
【発明の詳細な説明】
【技術分野】
【０００１】
本願発明は、ケーシング内に熱交換器とファン及び圧縮機等の機器を収納して構成され、主として空気調和機の室外機として用いられる熱源ユニットに関するものである。
【背景技術】
【０００２】
この種の熱源ユニットにおいては、ケーシングの前面及び左右両側面にそれぞれ空気吸込口を設けて可及的に広い領域から空気を吸込むようにするとともに、この空気吸込口の配置構成に対応するように熱交換器の形状を設定すると、各空気吸込口の形成位置との関係から該各空気吸込口相互間において吸込風量が異なることから、上記熱交換器においては吸込風量の偏流が生じ、その結果、熱交換効率を悪化させることになる。
【０００３】
このような問題に対処するものとして、伝熱管を一列に配置した一列構成の熱交換器において、その各部位におけるフィンピッチを吸込風量に対応させて変化させたもの（特許文献１参照）や、熱交換器自体を、ファンの吸込み側に対向し吸込風量の多い前面側空気吸込口に対応する熱交換器を二列構成とする一方、ファンの吸込み方向から左右に外れて設けられた吸込風量の少ない側面側空気吸込口に対応する熱交換器を一列構成としたもの（特許文献２参照）、さらに、Ｕ字形の熱交換器を備えたものにおいて、圧縮機をケーシングの前面側へ突出させることにより側面空気吸込口からの通路空間を拡大させて吸込風量の増加を図るもの（特許文献３参照）等が提案されている。
【０００４】
一方、ケーシング内に熱交換器、圧縮機、アキュムレータ等の機器を配置する場合、これら各機器を配管によって接続する必要があるが、この場合、例えば、特許文献４に示されるように、上記各機器とケーシングの壁面との間に配管空間を確保し、該配管空間を通して配管を配置するのが通例である。
【０００５】
【特許文献１】特開平７−１９８１６７号公報
【特許文献２】特開平８−２７０９８５号公報
【特許文献３】特開２００３−１３０３９３号公報
【特許文献４】特開２００３−１０６５６８号公報。
【発明の開示】
【発明が解決しようとする課題】
【０００６】
ところが、特許文献１に示されるように、一列構成の熱交換器においてフィンピッチを変える構成では、フィンピッチを密にするほど圧損が増加することから、フィンピッチの変更による熱交換効率の向上には限界がある。また、係る構成では熱交換器の構造が複雑になり、生産効率の低下によってコストアップを招来することになる。
【０００７】
特許文献２に示されるように、前面側の熱交換器を二列構成とし、側面側の熱交換器を一列構成とする構造は、単一の熱交換器を前面空気吸込口と両側面空気吸込口のそれぞれに対応させるべくその形体をＵ字状に設定したＵ形熱交換器には適用することができない。
【０００８】
特許文献３に示されるように、ケーシングにおける圧縮機の設置位置を変更することで吸込空気の通路空間を拡大する方法では、該ケーシングの形状が大形化し、また形状が異形であることから設置性が悪い等の問題がある。
【０００９】
一方、熱交換器等の機器とその外側に位置するケーシングの壁面の間に配管空間を設け、該配管空間を通して配管を配置する構成とした場合には、該配管空間の形成分だけ熱源ユニットの幅寸法が拡大され、コンパクト化という要請に反することになる。
【００１０】
そこで本願発明は、吸込風量の偏流の影響を受けることなく高い熱交換効率を達成するとともに、コンパクト化の要請にも応え得る熱源ユニットを提供することを目的としてなされたものである。
【課題を解決するための手段】
【００１１】
本願発明ではかかる課題を解決するための具体的手段として次のような構成を採用している。
【００１２】
本願の第１の発明に係る熱源ユニットでは、ケーシング１０内に熱交換ユニットＸとファン３を配置して構成される熱源ユニットにおいて、上記熱交換ユニットＸを、複数の熱交換器１、２を全体として平面視略Ｕ字形を呈するように配置して構成されるとともに、該熱交換ユニットＸの内側に上記ファン３が配置されていることを特徴としている。
【００１３】
本願の第２の発明に係る熱源ユニットでは、上記第１の発明に係る熱源ユニットにおいて、上記熱交換器ユニットＸの幅方向各部の熱交換能力を該熱交換ユニットＸにおける風量分布に対応するように設定したことを特徴としている。
【００１４】
本願の第３の発明に係る熱源ユニットでは、上記第１の発明に係る熱源ユニットにおいて、上記熱交換器ユニットＸを、伝熱管を通風方向に前後して１列又は２列に配置した平面視略鉤形の第１熱交換器１と伝熱管を１列又は２列に配置した平面視略鉤形の第２熱交換器２を、該第１熱交換器１の一方の直部１ａと第２熱交換器２の一方の直部２ａを通風方向に前後させるとともに、上記第１熱交換器１の他方の直部１ｂと上記第２熱交換器２の他方の直部２ｂを熱交換器ユニット幅方向に対向するように配置して構成したことを特徴としている。
【００１５】
本願の第４の発明に係る熱源ユニットでは、上記第１の発明に係る熱源ユニットにおいて、上記熱交換器ユニットＸを、伝熱管を通風方向に前後して１列又は２列に配置した平面視略鉤形の第１熱交換器１と伝熱管を１列又は２列に配置した平面視略Ｕ字形の第２熱交換器２を、上記第１熱交換器１の一方の直部１ａと他方の直部１ｂが、上記第２熱交換器２の中央部２ａと一方の側部２ｂに対して通風方向において前後するように配置して構成したことを特徴としている。
【００１６】
本願の第５の発明に係る熱源ユニットでは、上記第１の発明に係る熱源ユニットにおいて、上記熱交換器ユニットＸを、伝熱管を通風方向に前後して１列又は２列に配置した平面視略Ｕ字形の第１熱交換器１と伝熱管を１列又は２列に配置した平面視略直状の第２熱交換器２を、上記第１熱交換器１の中央部１ｂに上記第２熱交換器２が対向するように配置して構成したことを特徴としている。
【００１７】
本願の第６の発明に係る熱源ユニットでは、上記第１の発明に係る熱源ユニットにおいて、上記熱交換器ユニットＸを、伝熱管を通風方向に前後して２列に配置した平面視略鉤形の第１熱交換器１と伝熱管を１列に配置した平面視直状の第２熱交換器２を、該第１熱交換器１の一端側１ｃに上記第２熱交換器２を略直交状態に配置して構成したことを特徴としている。
【００１８】
本願の第７の発明に係る熱源ユニットでは、上記第３、第４、第５又は第６の発明に係る熱源ユニットにおいて、上記熱交換器ユニットＸの熱交換能力が低い側の端部寄りに圧縮機６を配置したことを特徴としている。
【００１９】
本願の第８の発明に係る熱源ユニットでは、上記第３、第４、第５又は第６の発明に係る熱源ユニットにおいて、上記ファン３を、上記熱交換器ユニットＸの幅方向中央よりも熱交換能力が高い側に偏位させて配置したことを特徴としている。
【００２０】
本願の第９の発明に係る熱源ユニットでは、上記第１、第２、第３、第４、第５、第６、第７又は第８の発明に係る熱源ユニットにおいて、上記熱交換器ユニット（Ｘ）の上記第１熱交換器１と第２熱交換器２を、該各熱交換器１、２が凝縮作用を為す場合において該各熱交換器１、２のうち、熱交換能力の高い熱交換器１又は２が冷媒上流側に、熱交換能力の低い熱交換器２又は１が冷媒下流側に、それぞれ位置するとともに、熱交換能力の高い熱交換器１又は２内の冷媒の流れ方向と熱交換能力の低い熱交換器２又は１内の冷媒の流れ方向が対向するように配管接続したことを特徴としている。
【００２１】
本願の第１０の発明に係る熱源ユニットでは、上記第９の発明に係る熱源ユニットにおいて、熱交換能力の低い熱交換器２又は１のパス数を熱交換能力の高い熱交換器１又は２のパス数よりも少なくしたことを特徴としている。
【００２２】
本願の第１１の発明に係る熱源ユニットでは、上記第１、第２、第３、第４、第５、第６、第７、第８、第９又は第１０の発明に係る熱源ユニットにおいて、上記第１熱交換器１と第２熱交換器２のうち、吸込風量の多い熱交換器１又は２の段ピッチ又はフィンピッチを、吸込風量の少ない熱交換器２又は１の段ピッチ又はフィンピッチよりも小さく設定したことを特徴としている。
【００２３】
本願の第１２の発明に係る熱源ユニットでは、上記第３、第４又は第５の発明に係る熱源ユニットにおいて、上記第１熱交換器１と第２熱交換器２のうち、通風方向上流側に位置する熱交換器１又は２の高さ寸法を通風方向下流側に位置する熱交換器２又は１の高さ寸法より小さく設定し、通風方向上流側に位置する熱交換器１又は２の下端と通風方向下流側に位置する熱交換器２又は１の下端の間に配管用空間２０を設けたことを特徴としている。
【発明の効果】
【００２４】
本願発明では次のような効果が得られる。
【００２５】
（ａ）本願の第１の発明に係る熱源ユニットによれば、ケーシング１０内に熱交換ユニットＸとファン３を配置して構成される熱源ユニットにおいて、上記熱交換ユニットＸが、複数の熱交換器１、２を全体として平面視略Ｕ字形を呈するように配置して構成されるとともに、該熱交換ユニットＸの内側に上記ファン３が配置されているので、該複数の熱交換器１，２の熱交換能力をそれぞれ個別に設定でき、またこれら複数の熱交換器１，２の組合せ方を適宜設定することで、上記熱交換ユニットＸの熱交換能力を、該熱交換ユニットＸの各部間における風量分布に対応させることが容易であり、その結果、上記熱交換ユニットＸが平面視略Ｕ字形を呈し該熱交換ユニットＸの各部間において吸込空気の偏流が生じる構成であっても、係る偏流に影響されることなく、上記熱交換ユニットＸ全体として高い熱交換効率を達成することができ、延いては高能力の熱源ユニットを提供することができる。
【００２６】
（ｂ）本願の第２の発明に係る熱源ユニットによれば、上記熱交換器ユニットＸの幅方向各部の熱交換能力を該熱交換ユニットＸにおける風量分布に対応するように設定しているので、上記（ａ）に記載の効果がより一層確実ならしめられる。
【００２７】
（ｃ）本願の第３の発明に係る熱源ユニットによれば、上記（ａ）に記載の効果に加えて以下のような特有の効果が得られる。即ち、この発明では、上記熱交換器ユニットＸを、伝熱管を通風方向に前後して１列又は２列に配置した平面視略鉤形の第１熱交換器１と伝熱管を１列又は２列に配置した平面視略鉤形の第２熱交換器２を、該第１熱交換器１の一方の直部１ａと第２熱交換器２の一方の直部２ａを通風方向に前後させるとともに、上記第１熱交換器１の他方の直部１ｂと上記第２熱交換器２の他方の直部２ｂを熱交換器ユニット幅方向に対向するように配置している。
【００２８】
従って、上記第１熱交換器１の一方の直部１ａと上記第２熱交換器２の一方の直部２ａが通風方向に前後した部分は、上記ファンの吸込軸線に直交するように対向し吸込風量が最も多い部分であるところ、該部分は上記第１熱交換器１と第２熱交換器２が通風方向に前後していることから最も高い熱交換能力が得られる。
【００２９】
一方、上記第１熱交換器１の他方の直部１ｂと上記第２熱交換器２の他方の直部２ｂは熱交換器ユニット幅方向に対向していることから、共に、上記ファンの吸込軸線から上記幅方向へ外れた位置にあって吸込風量が少ない部位であるところ、これらの部分は上記第１熱交換器１と第２熱交換器２がそれぞれ単独に配置された部分であって熱交換能力は比較的低くなっている。
【００３０】
この結果、上記熱交換ユニットＸにおいては、吸込風量の多少と熱交換能力の高低が対応することとなり、全体として高い熱交換効率が達成されるものである。
【００３１】
（ｄ）本願の第４の発明に係る熱源ユニットによれば、上記（ａ）に記載の効果に加えて以下のような特有の効果が得られる。即ち、この発明では、上記第１の発明に係る熱源ユニットにおいて、上記熱交換器ユニットＸを、伝熱管を通風方向に前後して１列又は２列に配置した平面視略鉤形の第１熱交換器１と伝熱管を１列又は２列に配置した平面視略Ｕ字形の第２熱交換器２を、上記第１熱交換器１の一方の直部１ａと他方の直部１ｂが、上記第２熱交換器２の中央部２ａと一方の側部２ｂに対して通風方向において前後するように配置して構成している。
【００３２】
従って、熱交換ユニットＸにおける熱交換能力は、上記第１熱交換器１の一方の直部１ａと上記第２熱交換器２の中央部２ａが前後する部分で最も高能力となり、上記第１熱交換器１の他方の直部１ｂと上記第２熱交換器２の一方の側部２ｂが前後する部分では中間能力となり、更に上記第２熱交換器２の他方の側部２ｃのみが存在する部分では最も低能力となる、
この結果、本発明の構成は、上記熱交換ユニットＸの両側部間において吸込風量に差が有るような場合、例えば、一方側には圧縮機等の機器が存在して空気の通路空間が他方側より狭く、これら両者間において吸込風量に差があるような場合に適用することで、上記熱交換ユニットＸにおいては、吸込風量の多少と熱交換能力の高低が対応することとなり、全体として高い熱交換効率が達成されるものである。
【００３３】
（ｅ）本願の第５の発明に係る熱源ユニットによれば、上記（ａ）に記載の効果に加えて以下のような特有の効果が得られる。即ち、この発明では、上記熱交換器ユニットＸを、伝熱管を通風方向に前後して１列又は２列に配置した平面視略Ｕ字形の第１熱交換器１と伝熱管を１列又は２列に配置した平面視略直状の第２熱交換器２を、上記第１熱交換器１の中央部１ｂに上記第２熱交換器２が対向するように配置している。
【００３４】
従って、上記第１熱交換器１の中央部１ｂと上記第２熱交換器２が通風方向に前後した部分は、上記ファンの吸込軸線に直交するように対向し吸込風量が最も多い部分であるところ、該部分は上記第１熱交換器１の中央部１ｂと第２熱交換器２が通風方向に前後していることから最も高い熱交換能力が得られる。
【００３５】
一方、上記第１熱交換器１の左右の側部１ｂ、１ｃは、共に、上記ファンの吸込軸線から上記幅方向へ外れた位置にあって吸込風量が少ない部位であるところ、これらの部分は上記第１熱交換器１の左右の側部１ｂ、１ｃそれぞれ単独に配置された部分であって熱交換能力は比較的低くなっている。
【００３６】
この結果、上記熱交換ユニットＸにおいては、吸込風量の多少と熱交換能力の高低が対応することとなり、全体として高い熱交換効率が達成されるものである。
【００３７】
（ｆ）本願の第６の発明に係る熱源ユニットによれば、上記（ａ）に記載の効果に加えて以下のような特有の効果が得られる。即ち、この発明では、上記熱交換器ユニットＸを、伝熱管を通風方向に前後して２列に配置した平面視略鉤形の第１熱交換器１と伝熱管を１列に配置した平面視直状の第２熱交換器２を、該第１熱交換器１の一端側１ｃに上記第２熱交換器２を略直交状態に配置している。
【００３８】
従って、熱交換ユニットＸにおける熱交換能力は、上記第１熱交換器１と上記第２熱交換器２それぞれが有する熱交換能力に依存することとなり、例えば、上記第１熱交換器１の熱交換能力が上記第２熱交換器２の熱交換能力より高く設定されている場合には、上記ファン３に対向する上記熱交換ユニットＸの幅方向中央部と、上記第１熱交換器１によって構成される一方の側部では高く、上記第２熱交換器２で構成された他方の側部では低くなる。このため、上記熱交換ユニットＸにおける吸込風量が、例えば通風空間の構成によって、上記ファン３に対向する中央部分と一方の側部が同等とされ、他方の側部はそれより少風量であるような場合には、上記熱交換ユニットＸにおいて吸込風量の多少と熱交換能力の高低が対応することになる。
【００３９】
逆に、上記第１熱交換器１の熱交換能力が上記第２熱交換器２の熱交換能力より低く設定されている場合には、上記ファン３に対向する上記熱交換ユニットＸの幅方向中央部と、上記第１熱交換器１によって構成される一方の側部では低く、上記第２熱交換器２で構成された他方の側部では高くなる。このため、上記熱交換ユニットＸにおける吸込風量が、例えば通風空間の構成によって、上記ファン３に対向する中央部分と一方の側部が同等とされ、他方の側部はそれより大風量であるような場合には、上記熱交換ユニットＸにおいて吸込風量の多少と熱交換能力の高低が対応することになる。
【００４０】
これらの結果、上記熱交換ユニットＸにおいては、吸込風量の多少と熱交換能力の高低が対応することとなり、全体として高い熱交換効率が達成されるものである。
【００４１】
（ｇ）本願の第７の発明に係る熱源ユニットによれば、上記（ｃ）、（ｄ）、（ｅ）又は（ｆ）に記載の効果に加えて以下のような特有の効果が得られる。即ち、この発明では、上記熱交換器ユニットＸの熱交換能力が低い側の端部寄りに圧縮機６を配置しているので、該圧縮機６の存在によって該圧縮機６寄りから吸込まれる空気の通路空間が狭められ、該部分からの吸込風量が他の部分からの吸込風量よりも少なくなり上記熱交換ユニットＸへの吸込空気に偏流が生じていても、この偏流により生じる吸込風量の多少（風量分布）と熱交換能力の高低が対応することになり、その結果、上記熱交換ユニットＸにおいては、吸込風量の多少と熱交換能力の高低が対応することとなり、上記圧縮機６の存在に拘らず全体として高い熱交換効率が達成される。
【００４２】
（ｈ）本願の第８の発明に係る熱源ユニットによれば、上記（ｃ）、（ｄ）、（ｅ）又は（ｆ）に記載の効果に加えて以下のような特有の効果が得られる。即ち、この発明では、上記ファン３を、上記熱交換器ユニットＸの幅方向中央よりも熱交換能力が高い側に偏位させて配置しているので、この熱交換能力が高い側に上記ファン３による吸込空気の主流が対応することとなり、その結果、上記熱交換ユニットＸにおいては、吸込風量の多少と熱交換能力の高低が対応することとなり、全体として高い熱交換効率が達成される。
【００４３】
（ｉ）本願の第９の発明に係る熱源ユニットによれば、上記（ａ）、（ｂ）、（ｃ）、（ｄ）、（ｅ）、（ｆ）、（ｇ）又は（ｈ）に記載の効果に加えて以下のような特有の効果が得られる。即ち、この発明では、上記熱交換器ユニット（Ｘ）の上記第１熱交換器１と第２熱交換器２を、該各熱交換器１、２が凝縮作用を為す場合において該各熱交換器１、２のうち、熱交換能力の高い熱交換器１又は２が冷媒上流側に、熱交換能力の低い熱交換器２又は１が冷媒下流側に、それぞれ位置するとともに、熱交換能力の高い熱交換器１又は２内の冷媒の流れ方向と熱交換能力の低い熱交換器２又は１内の冷媒の流れ方向が対向するように配管接続しているので、熱交換能力の高い熱交換器１又は２がガス側、熱交換能力の低い熱交換器２又は１が液側となり、凝縮時における冷媒の対向流れが実現され、より高い凝縮能力をもつ熱源ユニットを提供できる。
【００４４】
（ｊ）本願の第１０の発明に係る熱源ユニットでは、上記（ｉ）に記載の効果に加えて以下のような特有の効果が得られる。即ち、この発明では、熱交換能力の低い熱交換器２又は１のパス数を熱交換能力の高い熱交換器１又は２のパス数よりも少なくしている。
【００４５】
ここで、熱交換能力の高い熱交換器１又は２側から熱交換能力の低い熱交換器２又は１側へ冷媒が流れる場合、熱交換能力の高い熱交換器１又は２側では主としてガス冷媒であるため低密度で体積が大きいが、熱交換能力の低い熱交換器２又は１側では主として液冷媒であって凝縮によって高密度となりその体積が減少している。このため、上記各熱交換器１，２を同じパス数に設定すると、冷媒の流量差によってその流速が変化し、全体として凝縮効率が低下することになる。
【００４６】
係る場合、この発明のように熱交換能力の低い熱交換器２又は１のパス数を熱交換能力の高い熱交換器１又は２のパス数よりも少なく設定することで、両熱交換器１、２における冷媒の流速が均等化され、その結果、全体として凝縮効率が向上し、延いては高い凝縮能力をもつ熱源ユニットを提供できる。
【００４７】
（ｋ）本願の第１１の発明に係る熱源ユニットによれば、上記（ａ）、（ｂ）、（ｃ）、（ｄ）、（ｅ）、（ｆ）、（ｇ）、（ｈ）、（ｉ）又は（ｊ）に記載の効果に加えて以下のような特有の効果が得られる。即ち、この発明では、上記第１熱交換器１と第２熱交換器２のうち、吸込風量の多い熱交換器１又は２の段ピッチ又はフィンピッチを、吸込風量の少ない熱交換器２又は１のよりも小さく設定しているので、吸込風量の多い熱交換器１又は２においては、段ピッチ又はフィンピッチを小さくしたことで熱交換能力の増加が図れる一方、吸込風量の少ない熱交換器２又は１においては、段ピッチ又はフィンピッチを大きくしたことで着霜時における通風抵抗の増加を低く抑えることができ、これらの相乗効果として、高い熱交換能力をもつ熱源ユニットを提供できる。
【００４８】
（ｌ）本願の第１２の発明に係る熱源ユニットによれば、上記（ｃ）、（ｄ）又は（ｅ）に記載の効果に加えて以下のような特有の効果が得られる。即ち、この発明では、上記第１熱交換器１と第２熱交換器２のうち、通風方向上流側に位置する熱交換器１又は２の高さ寸法を通風方向下流側に位置する熱交換器２又は１の高さ寸法より小さく設定し、通風方向上流側に位置する熱交換器１又は２の下端と通風方向下流側に位置する熱交換器２又は１の下端の間に配管用空間２０を設けているので、上記ケーシング１０内に上記各熱交換器１，２等を設置する場合、先ず、通風方向下流側（即ち、上記ファン３寄り）に位置する熱交換器２又は１を設置して該熱交換器２又は１の配管と機内配管を接続し、しかる後、通風方向上流側（即ち、空気吸込口に近い側）に位置する熱交換器１又は２を設置する場合、該熱交換器１又は２の下端側に設けられた上記配管用隙間２０を通して上記機内配管を該熱交換器１又は２側へ引き出してその配管に接続することができ、例えば、従来のように機内の側部に熱交換器とか圧縮機等の機器の側方を迂回して配管空間を設ける場合に比して、上記ケーシング１０の幅方向のコンパクト化、延いては熱源ユニットの幅方向のコンパクト化が実現されるものである。
【発明を実施するための最良の形態】
【００４９】
以下、本願発明を好適な実施形態に基づいて具体的に説明する。
【００５０】
Ｉ：第１の実施形態
図１及び図２には、本願発明の第１の実施形態に係る熱源ユニットとして、空気調和機の室外機Ｚ１を示している。この室外機Ｚ１は、矩形箱状形体をもつケーシング１０内に、次述する熱交換ユニットＸと、モータ４と羽根車５を備えた成るファン３と、縦形の圧縮機６及び横置形のアキュムレータ８をそれぞれ収容して構成される。
【００５１】
上記ケーシング１０は、その前面１ａに前面吸込口１１Ａを、一方の側面１ｂに第１側面吸込口１１Ｂを、他方一方の側面１ｃに第２側面吸込口１１Ｃを備え、これら各空気吸込口１１Ａ，１１Ｂ，１１Ｃで空気吸込口１１を構成している。また、上記ケーシング１０の背面１ｄには、空気吹出口１２が設けられている。
【００５２】
そして、上記ファン３は、上記空気吹出口１２に臨んで配置され、上記各空気吸込口１１Ａ，１１Ｂ，１１Ｃから吸込まれた空気を上記空気吹出口１２から吹出す。また、上記圧縮機６は、上記ケーシング１０の他方の側面１ｃと背面１ｄで囲まれた隅部の底部に立設配置されている。さらに、上記アキュムレータ８は、上記ケーシング１０の底面１０ｅの近傍で且つ上記ファン３の下方に位置するようにして、横置き配置されている。
【００５３】
一方、上記熱交換ユニットＸは、次述するクロスフィン形の第１熱交換器１と第２熱交換器２を組み合わせて構成され、全体として平面視略Ｕ字形の形体を有し、上記各空気吸込口１１Ａ，１１Ｂ，１１Ｃのそれぞれに対応するとともに、その凹状部側で上記ファン３と圧縮機６を取り囲むようにして配置される。
【００５４】
上記第１熱交換器１は、パスが前後二列に配置された二列構成の熱交換器であって、その幅方向の一端寄り部分を略直交状に屈曲させて長尺幅をもつ一方の直部１ａと短尺幅をもつ他方の直部１ｂを備えた平面視略鉤形の形体を有している。
【００５５】
上記第２熱交換器２は、一列のパスをもつ一列構成の熱交換器であって、その幅方向の一端寄り部分を略直交状に屈曲させて長尺幅をもつ一方の直部２ａと短尺幅をもつ他方の直部２ｂを備えた平面視略鉤形の形体を有している。
【００５６】
また、上記第１熱交換器１の高さ寸法は、図２に示すように、上記第２熱交換器２の高さ寸法よりも所定寸法だけ大きな寸法に設定されている。
【００５７】
さらに、上記第１熱交換器１のフィンピッチは、上記第２熱交換器２のフィンピッチよりも小さく設定されており、これら両者の熱交換能力は、パス構成が二列構成と一列構成であることとも相俟って、上記第１熱交換器１の方が上記第２熱交換器２よりも高い熱交換能力を有している。係る構成は、熱交換能力の高い上記第１熱交換器１を吸込風量の多い部位に配置することで、高い熱交換効率を達成することができる。また、熱交換能力の低い上記第２熱交換器２は、これを吸込風量の少ない部位に配置することで、該第２熱交換器２が凝縮作用をなす場合においてフィンに着霜が生じたとしても、これによる通風抵抗の増加をできるだけ小さく抑えることができる。
【００５８】
このように構成された上記第１熱交換器１と上記第２熱交換器２を組み合わせて上記熱交換ユニットＸとする場合には、先ず、上記第１熱交換器１を、その一方の直部１ａが上記前面吸込口１１Ａに、他方の直部１ｂが上記第１側面吸込口１１Ｂに、それぞれ対向するようにして上記ケーシング１０内の所定位置に配置する。そして、この第１熱交換器１の配管を機内配管に接続する。
【００５９】
次に、上記第２熱交換器２を上記第１熱交換器１の外側に、その一方の直部２ａが上記第１熱交換器１の一方の直部１ａに近接対向し、他方の直部２ｂが機内空間を挟んで上記第１熱交換器１の他方の直部１ｂに離間対向するようにして配置する。この場合、上記第１熱交換器１と第２熱交換器２の上面を同一高さに揃えることで、高さ寸法の小さい上記第２熱交換器２の他端の下側に配管用隙間２０が形成される。
【００６０】
この状態で、上記第１熱交換器１の一方の直部１ａと上記第２熱交換器２の一方の直部２ａを、該第１熱交換器１の屈曲方向外側に上記第２熱交換器２が位置するように前後して配置し、上記第１熱交換器１の屈曲部の近傍と上記第２熱交換器２の直部２ａの端部を管板１４で、上記第１熱交換器１の直部１ａの端部と上記第２熱交換器２の屈曲部の近傍を管板１５で、それぞれ連結することで一体化され、上記熱交換ユニットＸを構成している。
【００６１】
しかる後、上記第２熱交換器２の配管を機内配管に接続するとともに、該機内配管を、上記配管用隙間２０を通して上記第２熱交換器２の下側からさらに上記ケーシング１０の前面１ａ側へ引き出す。このように、上記第１熱交換器１と第２熱交換器２の高さ寸法を異ならせることで形成される上記配管用隙間２０に機内配管を通すことで、上記熱交換ユニットＸの幅方向外側に配管用隙間を設ける場合に比して、上記ケーシング１０の幅寸法を小さくしてそのコンパクト化を図ることができる。
【００６２】
このように構成された上記熱交換ユニットＸにおける熱交換能力は、上記第１熱交換器１の一方の直部１ａと上記第２熱交換器２の一方の直部２ａが対向状態で近接配置された第１熱交換部Ｘ１では「大能力」、上記第１熱交換器１の他方の直部１ｂのみで構成された第２熱交換部Ｘ２では「中能力」、さらに上記第２熱交換器２の他方の直部２ｂのみで構成された第３熱交換部Ｘ３では「小能力」とされる。即ち、上記熱交換ユニットＸは、熱交換能力の異なる三つの部分で構成される。
【００６３】
なお、図１において、符号７は、上記第１熱交換器１の一方の直部１ａの端部と上記第２熱交換器２のコナー部の間のスペースに配置されたヘッダーである。
【００６４】
ここで、上記第１熱交換器１と第２熱交換器２の配管構成であるが、この実施形態では、図３に示すように、これら各熱交換器１，２が共に凝縮器として作用する場合において、熱交換能力の高い第１熱交換器１が冷媒上流側に、熱交換能力の低い第２熱交換器２が冷媒下流側にそれぞれ位置するように各パス間を接続する。即ち、図３では上記第１熱交換器１と上記第２熱交換器２が共に一列配置のパス構成をもつものを例として示しているが、この場合、上記第１熱交換器１における各パス１６Ａ〜１６Ｆをその下流側においてそれぞれ隣接するもの同士を合流させた後、これら合流管をそれぞれ上記第２熱交換器２の各パス１７Ａ〜１７Ｃに接続している。係る配管構成とすることで、主としてガス冷媒が流れる上記第１熱交換器１側における冷媒流速と、主として液冷媒が流れる上記第２熱交換器２側における冷媒流速の均等化が図られ、例えば、上記第１熱交換器１と第２熱交換器２のパス数を同じとした結果、これら両熱交換器１，２間において冷媒流速に差が生じる場合に比して、上記熱交換ユニットＸ全体として高い熱交換効率が得られるものである。
【００６５】
尚、この実施形態では、上記第１熱交換器１の他方の直部１ｂの熱交換能力が上記第２熱交換器２の他方の直部２ｂよりも熱交換能力が高いことを考慮して、上記ファン３の軸線Ｌ２を、上記熱交換ユニットＸの中心線Ｌ１よりも上記第１側面吸込口１１Ｂ寄りに偏位させて、熱交換能力が高い側へより多くの風量を流すようにしている。
【００６６】
以上のように構成された室外機Ｚ１では、図１に示すように、上記ファン３の運転に伴って、上記ケーシング１０の各空気吸込口１１Ａ，１１Ｂ，１１Ｃからそれぞれ空気が吸込まれるが、これら各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【００６７】
そして、この風量分布に対応するように、上記熱交換ユニットＸは、「大能力」の第１熱交換部Ｘ１が「大風量」の上記前面吸込口１１Ａに、「中能力」の第２熱交換部Ｘ２が「中風量」の第１側面吸込口１１Ｂに、「小能力」の第３熱交換部Ｘ３が「小風量」の上記第２側面吸込口１１Ｃに、それぞれ臨んで配置されている。
【００６８】
この結果、この室外機Ｚ１では、吸込風量の多少と熱交換能力の高低が対応することとなり、全体として高い熱交換効率が達成されることになる。
【００６９】
ＩＩ：第２の実施形態
図４には、本願発明の第２の実施形態に係る熱源ユニットとして、空気調和機の室外機Ｚ２を示している。この室外機Ｚ２は、その基本構成を上記第１の実施形態の室外機Ｚ１と同じにするものであって、これと異なる点は、上記熱交換ユニットＸの構成である。従って、ここでは、図４の各構成部材に、図１の各構成部材と対応させて同一符号を付すことで該第１の実施形態の該当説明を援用することでその説明を省略し、上記熱交換ユニットＸの構成を中心に説明を行なう。
【００７０】
この実施形態の室外機Ｚ２に備えられた熱交換ユニットＸは、一列のパスをもつ一列構成のクロスフィン形熱交換器の幅方向の一端寄り部分を略直交状に屈曲させて長尺幅をもつ一方の直部１ａと短尺幅をもつ他方の直部１ｂを備えた平面視略鉤形の第１熱交換器１と、一列のパスをもつ一列構成のクロスフィン形熱交換器の幅方向の一端寄り部分を略直交状に屈曲させて長尺幅をもつ一方の直部２ａと短尺幅をもつ他方の直部２ｂを備えた平面視略鉤形の第２熱交換器２を備える。そして、上記第１熱交換器１の一方の直部１ａと上記第２熱交換器２の一方の直部２ａを、該第１熱交換器１の屈曲方向外側に上記第２熱交換器２が位置するように前後して配置し、上記第１熱交換器１の屈曲部の近傍と上記第２熱交換器２の直部２ａの端部を管板１４で、上記第１熱交換器１の直部１ａの端部と上記第２熱交換器２の屈曲部の近傍を管板１５で、それぞれ連結することで一体化され、全体として略Ｕ形の平面視形体をもつ上記熱交換ユニットＸを構成している。
【００７１】
また、上記第１熱交換器１と上記第２熱交換器２の間では、該第１熱交換器１のフィンピッチを上記第２熱交換器２のフィンピッチよりも小さくしたことで、該第１熱交換器１の熱交換能力は上記第２熱交換器２の熱交換能力よりも高く設定されている。従って、上記熱交換ユニットＸにおける熱交換能力は、上記第１熱交換器１の一方の直部１ａと上記第２熱交換器２の一方の直部２ａが対向状態で近接配置された第１熱交換部Ｘ１では「大能力」、上記第１熱交換器１の他方の直部１ｂのみで構成された第２熱交換部Ｘ２では「中能力」、さらに上記第２熱交換器２の他方の直部２ｂのみで構成された第３熱交換部Ｘ３では「小能力」とされる。即ち、上記熱交換ユニットＸは、熱交換能力の異なる三つの部分で構成される。
【００７２】
一方、上記ケーシング１０の各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【００７３】
そして、この風量分布に対応するように、上記熱交換ユニットＸは、「大能力」の第１熱交換部Ｘ１が「大風量」の上記前面吸込口１１Ａに、「中能力」の第２熱交換部Ｘ２が「中風量」の第１側面吸込口１１Ｂに、「小能力」の第３熱交換部Ｘ３が「小風量」の上記第２側面吸込口１１Ｃに、それぞれ臨んで配置されている。
【００７４】
この結果、この室外機Ｚ２では、吸込風量の多少と熱交換能力の高低が対応することとなり、全体として高い熱交換効率が達成されることになる。
【００７５】
ＩＩＩ：第３の実施形態
図５には、本願発明の第３の実施形態に係る熱源ユニットとして、空気調和機の室外機Ｚ３を示している。この室外機Ｚ３は、その基本構成を上記第１の実施形態の室外機Ｚ１と同じにするものであって、これと異なる点は、上記熱交換ユニットＸの構成である。従って、ここでは、図５の各構成部材に、図１の各構成部材と対応させて同一符号を付すことで該第１の実施形態の該当説明を援用することでその説明を省略し、上記熱交換ユニットＸの構成を中心に説明を行なう。
【００７６】
この実施形態の室外機Ｚ３に備えられた熱交換ユニットＸは、通風方向に前後して二列のパスをもつ二列構成のクロスフィン形熱交換器の幅方向の一端寄り部分を略直交状に屈曲させて長尺幅をもつ一方の直部１ａと短尺幅をもつ他方の直部１ｂを備えた平面視略鉤形の第１熱交換器１と、同じく二列のパスをもつ二列構成のクロスフィン形熱交換器の幅方向の一端寄り部分を略直交状に屈曲させて長尺幅をもつ一方の直部２ａと短尺幅をもつ他方の直部２ｂを備えた平面視略鉤形の第２熱交換器２を備える。そして、上記第１熱交換器１の一方の直部１ａと上記第２熱交換器２の一方の直部２ａを、該第１熱交換器１の屈曲方向外側に上記第２熱交換器２が位置するように前後して配置し、上記第１熱交換器１の屈曲部の近傍と上記第２熱交換器２の直部２ａの端部を管板１４で、上記第１熱交換器１の直部１ａの端部と上記第２熱交換器２の屈曲部の近傍を管板１５で、それぞれ連結することで一体化され、全体として略Ｕ形の平面視形体をもつ上記熱交換ユニットＸを構成している。
【００７７】
また、上記第１熱交換器１と上記第２熱交換器２の間では、該第１熱交換器１のフィンピッチを上記第２熱交換器２のフィンピッチよりも小さくしたことで、該第１熱交換器１の熱交換能力は上記第２熱交換器２の熱交換能力よりも高く設定されている。
【００７８】
従って、上記熱交換ユニットＸにおける熱交換能力は、上記第１熱交換器１の一方の直部１ａと上記第２熱交換器２の一方の直部２ａが対向状態で近接配置された第１熱交換部Ｘ１では「大能力」、上記第１熱交換器１の他方の直部１ｂのみで構成された第２熱交換部Ｘ２では「中能力」、さらに上記第２熱交換器２の他方の直部２ｂのみで構成された第３熱交換部Ｘ３では「小能力」とされる。即ち、上記熱交換ユニットＸは、熱交換能力の異なる三つの部分で構成される。
【００７９】
一方、上記ケーシング１０の各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【００８０】
そして、この風量分布に対応するように、上記熱交換ユニットＸは、「大能力」の第１熱交換部Ｘ１が「大風量」の上記前面吸込口１１Ａに、「中能力」の第２熱交換部Ｘ２が「中風量」の第１側面吸込口１１Ｂに、「小能力」の第３熱交換部Ｘ３が「小風量」の上記第２側面吸込口１１Ｃに、それぞれ臨んで配置されている。
【００８１】
この結果、この室外機Ｚ３では、吸込風量の多少と熱交換能力の高低が対応することとなり、全体として高い熱交換効率が達成されることになる。
【００８２】
ＩＶ：第４の実施形態
図６には、本願発明の第４の実施形態に係る熱源ユニットとして、空気調和機の室外機Ｚ４を示している。この室外機Ｚ４は、その基本構成を上記第１の実施形態の室外機Ｚ１と同じにするものであって、これと異なる点は、上記熱交換ユニットＸの構成である。従って、ここでは、図６の各構成部材に、図１の各構成部材と対応させて同一符号を付すことで該第１の実施形態の該当説明を援用することでその説明を省略し、上記熱交換ユニットＸの構成を中心に説明を行なう。
【００８３】
この実施形態の室外機Ｚ４に備えられた熱交換ユニットＸは、通風方向に前後して二列のパスをもつ二列構成のクロスフィン形熱交換器の幅方向の一端寄り部分を略直交状に屈曲させて長尺幅をもつ一方の直部１ａと短尺幅をもつ他方の直部１ｂを備えた平面視略鉤形の第１熱交換器１と、一列のパスをもつ一列構成のクロスフィン形熱交換器の幅方向の両端寄り部分をそれぞれ同一方向へ略直交状に屈曲させて長尺幅をもつ中央部２ａと短尺幅をもつ一方の直部２ｂと他方の直部２ｃを備えた平面視略Ｕ形の第２熱交換器２を備える。そして、上記第１熱交換器１の一方の直部１ａと他方の直部１ｂを、上記第２熱交換器２の中央部２ａと一方の直部２ｂの内側（通風方向下流側）に近接対向状態で配置し、上記第１熱交換器１の屈曲部の近傍と上記第２熱交換器２の一方の直部２ｂ寄りの屈曲部の近傍を管板１４で、上記第１熱交換器１の直部１ａの端部と上記第２熱交換器２の上記他方の直部２ｃ寄りの屈曲部の近傍を管板１５で、それぞれ連結することで一体化され、全体として略Ｕ形の平面視形体をもつ上記熱交換ユニットＸを構成している。
【００８４】
また、上記第１熱交換器１と上記第２熱交換器２の間では、該第１熱交換器１のフィンピッチを上記第２熱交換器２のフィンピッチよりも小さくしたこと、及び該第１熱交換器１が二列構成であるのに対して上記第２熱交換器２が一列構成であることから、該第１熱交換器１の熱交換能力は上記第２熱交換器２の熱交換能力よりも高く設定されている。
【００８５】
従って、上記熱交換ユニットＸにおける熱交換能力は、上記第１熱交換器１の一方の直部１ａと上記第２熱交換器２の中央部２ａが対向状態で近接配置された第１熱交換部Ｘ１、及び上記第１熱交換器１の他方の直部１ｂと上記第２熱交換器２の一方の直部２ｂが対向状態で近接配置された第２熱交換部Ｘ２では「大能力」、上記第２熱交換器２の他方の直部２ｃのみで構成された第３熱交換部Ｘ３では「小能力」とされる。即ち、上記熱交換ユニットＸは、熱交換能力の異なる二つの部分で構成される。
【００８６】
一方、上記ケーシング１０の各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【００８７】
そして、上記熱交換ユニットＸは、「大能力」の第１熱交換部Ｘ１が「大風量」の上記前面吸込口１１Ａに、同じく「大能力」の第２熱交換部Ｘ２が「中風量」の第１側面吸込口１１Ｂに、「小能力」の第３熱交換部Ｘ３が「小風量」の上記第２側面吸込口１１Ｃに、それぞれ臨んで配置されている。
【００８８】
従って、この室外機Ｚ４では、吸込風量の多少と熱交換能力の高低がほぼ対応することとなり、全体として高い熱交換効率が達成されることになる。
【００８９】
また、上記室外機Ｚ４の外部側から該室外機Ｚ４へ導入される空気の経路条件によって、上記前面吸込口１１Ａ側からの吸込風量と上記第１側面吸込口１１Ｂからの吸込風量が略均等とされるような場合、例えば、上記室外機Ｚ４を設置したとき、上記前面吸込口１１Ａの外側近傍には通風の障害となる壁面が接近状態で対向しており吸込風量が減少傾向となるのに対して、上記第１側面吸込口１１Ｂの外側には通風の障害となるものが無く吸込風量が増加傾向にあり、両者の吸込風量が略均等とされるような場合には、室外機Ｚ４における吸込風量の多少と熱交換能力の高低が可及的に対応し、全体としてより高い熱交換効率が達成されることになる。即ち、設置場所の周囲条件に対応した仕様をもつ室外機を提供できるものである。
【００９０】
Ｖ：第５の実施形態
図７には、本願発明の第５の実施形態に係る熱源ユニットとして、空気調和機の室外機Ｚ５を示している。この室外機Ｚ５は、その基本構成を上記第１の実施形態の室外機Ｚ１と同じにするものであって、これと異なる点は、上記熱交換ユニットＸの構成である。従って、ここでは、図７の各構成部材に、図１の各構成部材と対応させて同一符号を付すことで該第１の実施形態の該当説明を援用することでその説明を省略し、上記熱交換ユニットＸの構成を中心に説明を行なう。
【００９１】
この実施形態の室外機Ｚ５に備えられた熱交換ユニットＸは、一列のパスをもつ一列構成のクロスフィン形熱交換器の幅方向の一端寄り部分を略直交状に屈曲させて長尺幅をもつ一方の直部１ａと短尺幅をもつ他方の直部１ｂを備えた平面視略鉤形の第１熱交換器１と、一列のパスをもつ一列構成のクロスフィン形熱交換器の幅方向の両端寄り部分をそれぞれ同一方向へ略直交状に屈曲させて長尺幅をもつ中央部２ａと短尺幅をもつ一方の直部２ｂと他方の直部２ｃを備えた平面視略Ｕ形の第２熱交換器２を備える。そして、上記第１熱交換器１の一方の直部１ａと他方の直部１ｂを、上記第２熱交換器２の中央部２ａと一方の直部２ｂの内側（通風方向下流側）に近接対向状態で配置し、上記第１熱交換器１の屈曲部の近傍と上記第２熱交換器２の一方の直部２ｂ寄りの屈曲部の近傍を管板１４で、上記第１熱交換器１の直部１ａの端部と上記第２熱交換器２の上記他方の直部２ｃ寄りの屈曲部の近傍を管板１５で、それぞれ連結することで一体化され、全体として略Ｕ形の平面視形体をもつ上記熱交換ユニットＸを構成している。
【００９２】
また、上記第１熱交換器１と上記第２熱交換器２の間では、該第１熱交換器１のフィンピッチを上記第２熱交換器２のフィンピッチよりも小さくしたことから、該第１熱交換器１の熱交換能力は上記第２熱交換器２の熱交換能力よりも高く設定されている。
【００９３】
従って、上記熱交換ユニットＸにおける熱交換能力は、上記第１熱交換器１の一方の直部１ａと上記第２熱交換器２の中央部２ａが対向状態で近接配置された第１熱交換部Ｘ１、及び上記第１熱交換器１の他方の直部１ｂと上記第２熱交換器２の一方の直部２ｂが対向状態で近接配置された第２熱交換部Ｘ２では「大能力」、上記第２熱交換器２の他方の直部２ｃのみで構成された第３熱交換部Ｘ３では「小能力」とされる。即ち、上記熱交換ユニットＸは、熱交換能力の異なる二つの部分で構成される。
【００９４】
一方、上記ケーシング１０の各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【００９５】
そして、上記熱交換ユニットＸは、「大能力」の第１熱交換部Ｘ１が「大風量」の上記前面吸込口１１Ａに、同じく「大能力」の第２熱交換部Ｘ２が「中風量」の第１側面吸込口１１Ｂに、「小能力」の第３熱交換部Ｘ３が「小風量」の上記第２側面吸込口１１Ｃに、それぞれ臨んで配置されている。
【００９６】
従って、この室外機Ｚ５では、吸込風量の多少と熱交換能力の高低がほぼ対応することとなり、全体として高い熱交換効率が達成されることになる。
【００９７】
また、上記室外機Ｚ５の外部側から該室外機Ｚ５へ導入される空気の経路条件によって、上記前面吸込口１１Ａ側からの吸込風量と上記第１側面吸込口１１Ｂからの吸込風量が略均等とされるような場合、例えば、上記室外機Ｚ５を設置したとき、上記前面吸込口１１Ａの外側近傍には通風の障害となる壁面が接近状態で対向しており吸込風量が減少傾向となるのに対して、上記第１側面吸込口１１Ｂの外側には通風の障害となるものが無く吸込風量が増加傾向にあり、両者の吸込風量が略均等とされるような場合には、室外機Ｚ５における吸込風量の多少と熱交換能力の高低が可及的に対応し、全体としてより高い熱交換効率が達成されることになる。即ち、設置場所の周囲条件に対応した仕様をもつ室外機を提供できるものである。
【００９８】
ＶＩ：第６の実施形態
図８には、本願発明の第６の実施形態に係る熱源ユニットとして、空気調和機の室外機Ｚ６を示している。この室外機Ｚ６は、その基本構成を上記第１の実施形態の室外機Ｚ１と同じにするものであって、これと異なる点は、上記熱交換ユニットＸの構成である。従って、ここでは、図８の各構成部材に、図１の各構成部材と対応させて同一符号を付すことで該第１の実施形態の該当説明を援用することでその説明を省略し、上記熱交換ユニットＸの構成を中心に説明を行なう。
【００９９】
この実施形態の室外機Ｚ６に備えられた熱交換ユニットＸは、通風方向に二列のパスをもつ二列構成のクロスフィン形熱交換器の幅方向の両端寄り部分をそれぞれ略直交状に屈曲させて長尺幅をもつ中央部１ａと短尺幅をもつ一方の直部１ｂと他方の直部１ｃを備えた平面視略Ｕ形の第１熱交換器１と、一列構成のクロスフィン形熱交換器を直状に形成してなる第２熱交換器２を備える。そして、上記第１熱交換器１の中央部１ａの一方の屈曲部の近傍と上記第２熱交換器２の一端を管板１４で、上記第１熱交換器１の中央部１ａの他方の屈曲部の近傍と上記第２熱交換器２の他端を管板１５で、それぞれ連結することで一体化され、全体として略Ｕ形の平面視形体をもつ上記熱交換ユニットＸを構成している。
【０１００】
また、上記第１熱交換器１と上記第２熱交換器２の間では、該第１熱交換器１のフィンピッチを上記第２熱交換器２のフィンピッチよりも小さくしたこと、及び該第１熱交換器１が二列構成であるのに対して上記第２熱交換器２が一列構成であることから、該第１熱交換器１の熱交換能力は上記第２熱交換器２の熱交換能力よりも高く設定されている。
【０１０１】
従って、上記熱交換ユニットＸにおける熱交換能力は、上記第１熱交換器１の中央部１ａと上記第２熱交換器２が対向状態で近接配置された第１熱交換部Ｘ１では「大能力」、上記第１熱交換器１の一方の直部１ｂと他方の直部１ｃでそれぞれ構成される第２熱交換部Ｘ２と第３熱交換部Ｘ３ではともに「小能力」とされる。即ち、上記熱交換ユニットＸは、熱交換能力の異なる二つの部分で構成される。
【０１０２】
一方、上記ケーシング１０の各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【０１０３】
そして、上記熱交換ユニットＸは、「大能力」の第１熱交換部Ｘ１が「大風量」の上記前面吸込口１１Ａに、共に「小能力」の第２熱交換部Ｘ２と第３熱交換部Ｘ３が「小風量」の上記第１側面吸込口１１Ｂと第２側面吸込口１１Ｃに、それぞれ臨んで配置されている。
【０１０４】
従って、この室外機Ｚ６では、吸込風量の多少と熱交換能力の高低がほぼ対応することとなり、全体として高い熱交換効率が達成されることになる。
【０１０５】
また、上記室外機Ｚ６の外部側から該室外機Ｚ６へ導入される空気の経路条件によって、上記第１側面吸込口１１Ｂ側からの吸込風量と上記第２側面吸込口１１Ｃ側からの吸込風量が略均等とされるような場合、例えば、上記室外機Ｚ６を設置したとき、上記第１側面吸込口１１Ｂの外側近傍に通風の障害となる壁面等が存在し、該第１側面吸込口１１Ｂが上記第２側面吸込口１１Ｃよりも上記ファン３に近い位置にあるにも拘らずこれら両者からの吸込風量が略均等とされるような場合には、室外機Ｚ６における吸込風量の多少と熱交換能力の高低が可及的に対応し、全体としてより高い熱交換効率が達成されることになる。即ち、設置場所の周囲条件に対応した仕様をもつ室外機を提供できるものである。
【０１０６】
ＶＩＩ：第７の実施形態
図９には、本願発明の第７の実施形態に係る熱源ユニットとして、空気調和機の室外機Ｚ７を示している。この室外機Ｚ７は、その基本構成を上記第１の実施形態の室外機Ｚ１と同じにするものであって、これと異なる点は、上記熱交換ユニットＸの構成である。従って、ここでは、図９の各構成部材に、図１の各構成部材と対応させて同一符号を付すことで該第１の実施形態の該当説明を援用することでその説明を省略し、上記熱交換ユニットＸの構成を中心に説明を行なう。
【０１０７】
この実施形態の室外機Ｚ７に備えられた熱交換ユニットＸは、一列のパスをもつ一列構成のクロスフィン形熱交換器の幅方向の両端寄り部分をそれぞれ略直交状に屈曲させて長尺幅をもつ中央部１ａと短尺幅をもつ一方の直部１ｂと他方の直部１ｃを備えた平面視略Ｕ形の第１熱交換器１と、一列構成のクロスフィン形熱交換器を直状に形成してなる第２熱交換器２を備える。そして、上記第１熱交換器１の中央部１ａの一方の屈曲部の近傍と上記第２熱交換器２の一端を管板１４で、上記第１熱交換器１の中央部１ａの他方の屈曲部の近傍と上記第２熱交換器２の他端を管板１５で、それぞれ連結することで一体化され、上記熱交換ユニットＸを構成している。
【０１０８】
また、上記第１熱交換器１と上記第２熱交換器２の間では、該第１熱交換器１のフィンピッチを上記第２熱交換器２のフィンピッチよりも小さくしたことから、該第１熱交換器１の熱交換能力は上記第２熱交換器２の熱交換能力よりも高く設定されている。
【０１０９】
従って、上記熱交換ユニットＸにおける熱交換能力は、上記第１熱交換器１の中央部１ａと上記第２熱交換器２が対向状態で近接配置された第１熱交換部Ｘ１では「大能力」、上記第１熱交換器１の一方の直部１ｂと他方の直部１ｃでそれぞれ構成される第２熱交換部Ｘ２と第３熱交換部Ｘ３ではともに「小能力」とされる。即ち、上記熱交換ユニットＸは、熱交換能力の異なる二つの部分で構成される。
【０１１０】
一方、上記ケーシング１０の各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【０１１１】
そして、上記熱交換ユニットＸは、「大能力」の第１熱交換部Ｘ１が「大風量」の上記前面吸込口１１Ａに、共に「小能力」の第２熱交換部Ｘ２と第３熱交換部Ｘ３が「小風量」の上記第１側面吸込口１１Ｂと第２側面吸込口１１Ｃに、それぞれ臨んで配置されている。
【０１１２】
従って、この室外機Ｚ７では、吸込風量の多少と熱交換能力の高低がほぼ対応することとなり、全体として高い熱交換効率が達成されることになる。
【０１１３】
また、上記室外機Ｚ７の外部側から該室外機Ｚ７へ導入される空気の経路条件によって、上記第１側面吸込口１１Ｂ側からの吸込風量と上記第２側面吸込口１１Ｃ側からの吸込風量が略均等とされるような場合、例えば、上記室外機Ｚ７を設置したとき、上記第１側面吸込口１１Ｂの外側近傍に通風の障害となる壁面等が存在し、該第１側面吸込口１１Ｂが上記第２側面吸込口１１Ｃよりも上記ファン３に近い位置にあるにも拘らずこれら両者からの吸込風量が略均等とされるような場合には、室外機Ｚ７における吸込風量の多少と熱交換能力の高低が可及的に対応し、全体としてより高い熱交換効率が達成されることになる。即ち、設置場所の周囲条件に対応した仕様をもつ室外機を提供できるものである。
【０１１４】
ＶＩＩＩ：第８の実施形態
図１０には、本願発明の第８の実施形態に係る熱源ユニットとして、空気調和機の室外機Ｚ８を示している。この室外機Ｚ８は、その基本構成を上記第１の実施形態の室外機Ｚ１と同じにするものであって、これと異なる点は、上記熱交換ユニットＸの構成である。従って、ここでは、図１０の各構成部材に、図１の各構成部材と対応させて同一符号を付すことで該第１の実施形態の該当説明を援用することでその説明を省略し、上記熱交換ユニットＸの構成を中心に説明を行なう。
【０１１５】
この実施形態の室外機Ｚ８に備えられた熱交換ユニットＸは、通風方向に前後して二列のパスをもつ二列構成のクロスフィン形熱交換器の幅方向の両端寄り部分をそれぞれ略直交状に屈曲させて長尺幅をもつ中央部１ａと短尺幅をもつ一方の直部１ｂと他方の直部１ｃを備えた平面視略Ｕ形の第１熱交換器１と、二列構成のクロスフィン形熱交換器を直状に形成してなる第２熱交換器２を備える。そして、上記第１熱交換器１の中央部１ａの一方の屈曲部の近傍と上記第２熱交換器２の一端を管板１４で、上記第１熱交換器１の中央部１ａの他方の屈曲部の近傍と上記第２熱交換器２の他端を管板１５で、それぞれ連結することで一体化され、全体として略Ｕ形の平面視形体をもつ上記熱交換ユニットＸを構成している。
【０１１６】
また、上記第１熱交換器１と上記第２熱交換器２の間では、該第１熱交換器１のフィンピッチを上記第２熱交換器２のフィンピッチよりも小さくしたことから、該第１熱交換器１の熱交換能力は上記第２熱交換器２の熱交換能力よりも高く設定されている。
【０１１７】
従って、上記熱交換ユニットＸにおける熱交換能力は、上記第１熱交換器１の中央部１ａと上記第２熱交換器２が対向状態で近接配置された第１熱交換部Ｘ１では「大能力」、上記第１熱交換器１の一方の直部１ｂと他方の直部１ｃでそれぞれ構成される第２熱交換部Ｘ２と第３熱交換部Ｘ３ではともに「小能力」とされる。即ち、上記熱交換ユニットＸは、熱交換能力の異なる二つの部分で構成される。
【０１１８】
一方、上記ケーシング１０の各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【０１１９】
そして、上記熱交換ユニットＸは、「大能力」の第１熱交換部Ｘ１が「大風量」の上記前面吸込口１１Ａに、共に「小能力」の第２熱交換部Ｘ２と第３熱交換部Ｘ３が「小風量」の上記第１側面吸込口１１Ｂと第２側面吸込口１１Ｃに、それぞれ臨んで配置されている。
【０１２０】
従って、この室外機Ｚ８では、吸込風量の多少と熱交換能力の高低がほぼ対応することとなり、全体として高い熱交換効率が達成されることになる。
【０１２１】
また、上記室外機Ｚ８の外部側から該室外機Ｚ８へ導入される空気の経路条件によって、上記第１側面吸込口１１Ｂ側からの吸込風量と上記第２側面吸込口１１Ｃ側からの吸込風量が略均等とされるような場合、例えば、上記室外機Ｚ７を設置したとき、上記第１側面吸込口１１Ｂの外側近傍に通風の障害となる壁面等が存在し、該第１側面吸込口１１Ｂが上記第２側面吸込口１１Ｃよりも上記ファン３に近い位置にあるにも拘らずこれら両者からの吸込風量が略均等とされるような場合には、室外機Ｚ８における吸込風量の多少と熱交換能力の高低が可及的に対応し、全体としてより高い熱交換効率が達成されることになる。即ち、設置場所の周囲条件に対応した仕様をもつ室外機を提供できるものである。
【０１２２】
ＩＸ：第９の実施形態
図１１には、本願発明の第９の実施形態に係る熱源ユニットとして、空気調和機の室外機Ｚ９を示している。この室外機Ｚ９は、その基本構成を上記第１の実施形態の室外機Ｚ１と同じにするものであって、これと異なる点は、上記熱交換ユニットＸの構成である。従って、ここでは、図１１の各構成部材に、図１の各構成部材と対応させて同一符号を付すことで該第１の実施形態の該当説明を援用することでその説明を省略し、上記熱交換ユニットＸの構成を中心に説明を行なう。
【０１２３】
この実施形態の室外機Ｚ９に備えられた熱交換ユニットＸは、通風方向に二列のパスをもつ二列構成のクロスフィン形熱交換器の一端寄り部分を略直交状に屈曲させて長尺幅をもつ中央部１ａと短尺幅をもつ直部１ｂとを備えた平面視略鉤形の第１熱交換器１と、一列構成のクロスフィン形熱交換器を、一端側を湾曲させるものの全体として略直状の平面形体をもつ第２熱交換器２を備える。そして、上記第１熱交換器１の一方の直部１ａの端部に、これと略直交するようにして上記第２熱交換器２を配置し、上記第１熱交換器１の一方の端部と上記第２熱交換器２の一端を管板１５で連結することで一体化され、全体として略Ｕ形の平面視形体をもつ上記熱交換ユニットＸを構成している。
【０１２４】
また、上記第１熱交換器１と上記第２熱交換器２の間では、該第１熱交換器１のフィンピッチを上記第２熱交換器２のフィンピッチよりも小さくしたこと、及び該第１熱交換器１が二列構成であるのに対して上記第２熱交換器２が一列構成であることから、該第１熱交換器１の熱交換能力は上記第２熱交換器２の熱交換能力よりも高く設定されている。
【０１２５】
従って、上記熱交換ユニットＸにおける熱交換能力は、上記第１熱交換器１の一方の直部１ａで構成された第１熱交換部Ｘ１と他方の直部１ｂで構成された第２熱交換部Ｘ２では「大能力」、上記第２熱交換器２で構成された第３熱交換部Ｘ３ではともに「小能力」とされる。即ち、上記熱交換ユニットＸは、熱交換能力の異なる二つの部分で構成される。
【０１２６】
一方、上記ケーシング１０の各空気吸込口１１Ａ，１１Ｂ，１１Ｃからの吸込風量の相対関係は、上記ファン３の軸方向に対向している上記前面吸込口１１Ａは「大風量」、上記ファン３に対してその側方に位置するものの該ファン３に近い上記第１側面吸込口１１Ｂは「中風量」、さらに上記ファン３に対してその側方に位置し且つ該ファン３から遠い上記第２側面吸込口１１Ｃは「小風量」とされる。
【０１２７】
そして、上記熱交換ユニットＸは、共に「大能力」の第１熱交換部Ｘ１と第２熱交換部Ｘ２がそれぞれ「大風量」の上記前面吸込口１１Ａと第１側面吸込口１１Ｂに、「小能力」の第３熱交換部Ｘ３が「小風量」の上記第２側面吸込口１１Ｃに、それぞれ臨んで配置されている。
【０１２８】
従って、この室外機Ｚ９では、吸込風量の多少と熱交換能力の高低がほぼ対応することとなり、全体として高い熱交換効率が達成されることになる。
【０１２９】
また、上記室外機Ｚ９の外部側から該室外機Ｚ９へ導入される空気の経路条件によって、上記前面吸込口１１Ａ側からの吸込風量と上記第１側面吸込口１１Ｂからの吸込風量が略均等とされるような場合、例えば、上記室外機Ｚ９を設置したとき、上記前面吸込口１１Ａの外側近傍には通風の障害となる壁面が接近状態で対向しており吸込風量が減少傾向となるのに対して、上記第１側面吸込口１１Ｂの外側には通風の障害となるものが無く吸込風量が増加傾向にあり、両者の吸込風量が略均等とされるような場合には、室外機Ｚ９における吸込風量の多少と熱交換能力の高低が可及的に対応し、全体としてより高い熱交換効率が達成されることになる。即ち、設置場所の周囲条件に対応した仕様をもつ室外機を提供できるものである。
【図面の簡単な説明】
【０１３０】
【図１】本願発明の第１の実施の形態に係る熱源ユニットの横断面図である。
【図２】図１のＩＩ−ＩＩ矢視図である。
【図３】熱交換器の配管取回図である。
【図４】本願発明の第２の実施の形態に係る熱源ユニットの横断面図である。
【図５】本願発明の第３の実施の形態に係る熱源ユニットの横断面図である。
【図６】本願発明の第４の実施の形態に係る熱源ユニットの横断面図である。
【図７】本願発明の第５の実施の形態に係る熱源ユニットの横断面図である。
【図８】本願発明の第６の実施の形態に係る熱源ユニットの横断面図である。
【図９】本願発明の第７の実施の形態に係る熱源ユニットの横断面図である。
【図１０】本願発明の第８の実施の形態に係る熱源ユニットの横断面図である。
【図１１】本願発明の第９の実施の形態に係る熱源ユニットの横断面図である。
【符号の説明】
【０１３１】
１      ・・第１熱交換器
２      ・・第２熱交換器
３      ・・ファン
４      ・・モータ
５      ・・羽根車
６      ・・圧縮機
７      ・・ヘッダー
８      ・・アキュムレータ
１０    ・・ケーシング
１１    ・・空気吸込口
１２    ・・空気吹出口
１４    ・・管板
１５    ・・管板
１６    ・・伝熱管
１７    ・・伝熱管
２０    ・・配管用隙間
【図１】
2008261552.tif 000003
【図２】
2008261552.tif 000004
【図３】
2008261552.tif 000005
【図４】
2008261552.tif 000006
【図５】
2008261552.tif 000007
【図６】
2008261552.tif 000008
【図７】
2008261552.tif 000009
【図８】
2008261552.tif 000010
【図９】
2008261552.tif 000011
【図１０】
2008261552.tif 000012
【図１１】
2008261552.tif 000013